(57)【要約】【課題】  日付入力の手間を減らすことができる携帯型通信端末装置を得る。【解決手段】  操作部により入力された日付を示す数値に基づき、これに関連する日付の変換候補を表示部に表示し、この表示部に表示された日付の変換候補からユーザにより選択されることにより、日付入力として確定するようにしたもので、操作部及び表示部は、制御部により制御され、操作部は、入力文字列の種類を選択する数キー２と、入力された数値から日付の変換候補を表示部に表示する変換キー４と、ユーザにより入力された入力文字列の確定または表示部に表示された日付の変換候補からの選択を確定する確定キー３とにより構成されている。【選択図】図１
2005149204.tif 000002
【特許請求の範囲】
【請求項１】
日付を示す数値が入力される操作部、この操作部により入力された数値に基づき日付の変換候補を表示する表示部、この表示部の日付の変換候補の表示を制御すると共に上記表示部に表示された日付の変換候補から選択されることにより日付入力として確定する制御部を備えたことを特徴とする携帯型通信端末装置。
【請求項２】
日付と曜日を対応付けたカレンダー情報を備え、上記制御部は、上記カレンダー情報を用いて、上記表示部に表示される日付の変換候補に、上記日付に関連する曜日の変換候補を付加することを特徴とする請求項１記載の携帯型通信端末装置。
【請求項３】
上記操作部は、入力文字列の種類を設定する数キーと、入力された数値に対する変換候補を表示するための変換キーと、表示された変換候補から選択された変換候補を確定する確定キーとを有することを特徴とする請求項１または請求項２記載の携帯型通信端末装置。
【発明の詳細な説明】
【技術分野】
【０００１】
この発明は、日付入力を簡単にした携帯型通信端末装置に関するものである。
【背景技術】
【０００２】
従来、携帯端末において、ユーザが文章入力時に日付情報を入力する場合、その日付情報が英数字漢字混じりの文字列であるため、数字入力→漢字入力→数字入力・・・のように、文字モードを絶えず切り替えながら入力する必要があった。この手法では、ユーザが日付情報を入力完了するまでには多大なキー押下回数となるうえ、曜日情報も付け加える場合には、曜日文字列入力のための更なるキー押下回数の増大やカレンダー参照等の手間が発生する。
現在の携帯端末では、通話機能だけでなくカレンダー機能も内蔵しており、ユーザのスケジュール管理などが可能となっている。しかし、このカレンダー機能を日付入力に利用するようにはなっていなかった。
【０００３】
ユーザ文字入力の手間の削減やキー押下回数減少を目的とした従来技術として、特許文献１及び特許文献２がある。
特許文献１は、携帯電話の文字入力機能において、大文字小文字の切替えに要する選択キーの押下回数を減らすものである。特許文献２は、携帯電話の文字入力において、電子メールアドレスの入力の手間を減らすためのものであり、アドレス補完情報を記憶しておき、入力時にそれを利用するようにされている。
【０００４】
【特許文献１】特開２００２−１３２４２７号公報（第３〜６頁、図４）
【特許文献２】特開２００２−２９７２８７号公報（第３〜４頁、図１）
【発明の開示】
【発明が解決しようとする課題】
【０００５】
しかしながら、特許文献１は、大文字小文字の切替えのための入力文字種別選択キーの押下回数を減らすためのものであり、日付入力についてのものではなかった。
また、特許文献２は、メールアドレスの入力の手間を減らすものであり、日付入力の手間を減らすようにしたものではなかった。
【０００６】
この発明は、上述のような課題を解決するためになされたものであり、日付入力の手間を減らすことができる携帯型通信端末装置を得ることを第１の目的としている。
また、内蔵されたカレンダー情報を日付入力に利用するようにした携帯型通信端末装置を得ることを第２の目的としている。
【課題を解決するための手段】
【０００７】
この発明に係わる携帯型通信端末装置においては、日付を示す数値が入力される操作部、この操作部により入力された数値に基づき日付の変換候補を表示する表示部、この表示部の日付の変換候補の表示を制御すると共に表示部に表示された日付の変換候補から選択されることにより日付入力として確定する制御部を備えたものである。
【発明の効果】
【０００８】
この発明は、以上説明したように、日付を示す数値が入力される操作部、この操作部により入力された数値に基づき日付の変換候補を表示する表示部、この表示部の日付の変換候補の表示を制御すると共に表示部に表示された日付の変換候補から選択されることにより日付入力として確定する制御部を備えたので、少ないキー操作回数で日付情報を入力することができる。
【発明を実施するための最良の形態】
【０００９】
実施の形態１．
図１は、この発明の実施の形態１による携帯型通信端末装置の表示部を示すイメージ図である。
図１において、ユーザが入力した文字列１は、未変換の未確定状態にある。数キー２、確定キー３、変換キー４は、画面上に表示されるソフトキーの機能を持ち、ユーザは、携帯型通信端末装置上に配置された各ソフトキーと対応したハードキーを押下することで、これらの各機能を利用することができる。
数キー２は、ユーザが入力しようとしている文字列の種類を選択するものであり、ユーザが数キー２により入力文字列の種別を選択する。確定キー３は、ユーザが入力した文字列を確定する機能を持つ。変換キー４は、ユーザが入力した未確定文字列の変換候補を表示するためのキーである。また変換キー４が押下されることで、携帯型通信端末装置の画面は、変換候補選択画面へと遷移し、ユーザは、画面５に表示された変換候補より最終確定文字列を選択することができる。この表示部に表示された日付の変換候補からの選択の確定は、確定キー３により行われる。
【００１０】
図２は、この発明の実施の形態１による携帯型通信端末装置の内部構成を示す概要図である。
図２において、他の無線機または基地局１１からの電波は、無線部１２により受信され、電気信号に変換される。シンセサイザ１３は、アナログ信号及びデジタル信号を相互に変換する。復調部１４は、受信した電波から信号を取出し、変調部１５は、送信する電波に載せる信号を符号化する。制御部１６は、ＣＰＵなどにより構成され、携帯型通信端末装置全体を制御する。スピーカ１７及びマイク１８は、制御部１６により制御される。操作部１９は、ユーザの操作を制御部１６に伝えるもので、ユーザに入力文字列選択、未確定文字列入力、文字列確定、変換候補表示の選択の際のインターフェースを提供する。表示部２０は、携帯型通信端末装置の状態や操作内容をユーザに視覚的に伝えるもので、ユーザにソフトキーの状態、入力した文字列、変換候補の情報を視覚的認識可能なように提供している。ＲＯＭ２１は、制御部１６を動かすソフトウエアが格納されている。ＲＡＭ２２は、ソフトウエアを実行するための作業空間である。設定情報２３は、携帯型通信端末装置の設定内容を保持するメモリ装置である。制御部１６は、変換候補を表示部２０に表示させると共に、操作部１９によりユーザが行った操作に基づき内部処理する。
【００１１】
図３は、この発明の実施の形態１による携帯型通信端末装置の日付情報に変換される変換候補を示す図である。
図３では、４桁、６桁または８桁の数値入力に応じて、月日、年２桁の年月日または年４桁の年月日が表示される。
図４は、この発明の実施の形態１による携帯型通信端末装置の変換候補パターンを示す図である。
図４では、日付情報に曜日情報が付加された複数の変換候補が表示されている。
【００１２】
次に、動作について説明する。
未確定文字列の入力が操作部１９で行われ、さらに変換操作が、操作部１９で行われると、制御部１６は、文字列が条件を満たしているか判断し、変換候補を表示部２０に表示する。また、変換候補に曜日情報を付加する場合は、制御部１６が、携帯型通信端末装置に設定され、少なくとも日付と曜日が対応付けられたカレンダー情報を設定情報２３より取得する。
【００１３】
次に、制御部１６が判断する数字文字列、変換候補についての例を説明する。制御部１６は、図３に示される桁数の数字文字列が未確定文字として入力され、変換キー４が押下された場合、ユーザが日付情報を入力したいと判断し、図３のような変換候補をユーザに提示する。
【００１４】
また、制御部１６は、変換候補を提示する際に携帯型通信端末装置の設定情報２３より、カレンダー情報を取り出し、図４に示すような曜日情報を付加する。
例えば、未確定文字列〔２００３１０１９〕が入力されたとき、表示部には変換候補として次のものが表示される。
２００３年１０月１９日
２００３年１０月１９日（日）
２００３年１０月２６日（日）
２００３年１１月２日（日）
２００３年１０月２０日（月）
２００３年１０月２１日（火）
２００３年１０月２２日（水）
２００３年１０月１８日（土）
２００３年１０月１７日（金）
２００３年１０月１６日（木）
このような変換候補を表示することにより、ユーザの入力した日付が意図しない曜日であった場合でも、前後の数日が変換候補に含められているので、ユーザは、これらの変換候補より、入力した数字列の曜日情報や前後の日付情報を検討しながら最終的な確定文字列を選択して、確定キー３により確定することができる。
【００１５】
実施の形態１によれば、数字の羅列から年月日を変換候補にすることで、ユーザは、少ないキー押下回数で日付情報を入力することができる。
また、携帯型通信端末装置内のカレンダー情報と連携し、入力日付の曜日を自動付加することができる。
【図面の簡単な説明】
【００１６】
【図１】この発明の実施の形態１による携帯型通信端末装置の表示部を示すイメージ図である。
【図２】この発明の実施の形態１による携帯型通信端末装置の構成を示す概要図である。
【図３】この発明の実施の形態１による携帯型通信端末装置の日付情報に変換される変換候補を示す図である。
【図４】この発明の実施の形態１による携帯型通信端末装置の変換候補パターンを示す図である。
【符号の説明】
【００１７】
１  ユーザが入力した文字列
２  数キー
３  確定キー
４  変換キー
５  画面
１１  他の無線機または基地局
１２  無線部
１３  シンセサイザ
１４  復調部
１５  変調部
１６  制御部
１７  スピーカ
１８  マイク
１９  操作部
２０  表示部
２１  ＲＯＭ
２２  ＲＡＭ
２３  設定情報
【図１】
2005149204.tif 000003
【図２】
2005149204.tif 000004
【図３】
2005149204.tif 000005
【図４】
2005149204.tif 000006